(57)【要約】【課題】  装脱着性が良好で、吊り下げに際して握力を必要とせずに、安定して衣類を鞄と共に吊り下げることができると共に、小型軽量で収納性の良好な携帯に適した鞄用携帯ハンガーを提供する。【解決手段】  上着１０を掛ける掛棒部２１ａと、アタッシュケース１３に設けられた把手部１４の両端に位置して、鞄本体１３ａに固定される一対の固定基部１４ａ，１４ａに、長手方向を沿わせて保持される水平棒状部２１ｆとを略同一外径のパイプ状部材で連続形成するハンガー本体２１を有し、水平棒状部２１ｆには、一端２１ｇから延出されて、一対の両固定基部１４ａ，１４ａに掛け廻された状態で、水平棒状部２１ｆの他端２１ｈの係止爪部２２に係止されることにより、掛棒部２１ａを、一対の固定基部１４ａ，１４ａと平行状態で保持する固定用掛紐部材２３が設けられている。【選択図】  図１
2006043316.tif 000002
【特許請求の範囲】
【請求項１】
衣類を掛ける掛棒部と、鞄に設けられた把手部の両端に位置して、鞄本体に固定される一対の固定基部に、長手方向を沿わせて保持される水平棒状部とを略同一外径のパイプ状部材で連続形成するハンガー本体を有し、該ハンガー本体の前記水平棒状部には、該水平棒状部の一端から延出されて、前記一対の両固定基部に掛け廻された状態で、該水平棒状部の他端に係止されることにより、前記掛棒部を、前記一対の固定基部と平行状態で保持する固定用掛紐部材が設けられていることを特徴とする鞄用携帯ハンガー。
【請求項２】
前記ハンガー本体の外側面に、前記固定用掛紐部材を、折畳み状態で添着する添着部材が設けられていることを特徴とする請求項１記載の鞄用携帯ハンガー。
【請求項３】
前記ハンガー本体の外側面には、前記固定用掛紐部材が収納される収納凹溝部が凹設されていることを特徴とする請求項１又は２記載の鞄用携帯ハンガー。
【請求項４】
前記ハンガー本体の内部には、前記固定用掛紐部材が、挿通されて収納される収納中空部が形成されていることを特徴とする請求項１記載の鞄用携帯ハンガー。
【請求項５】
前記ハンガー本体の少なくとも、前記掛棒部の周囲には、滑り止めゴム部材が設けられていると共に、該滑り止めゴム部材の外周面に、外嵌されて、長手方向にスライド移動させる事により、前記両固定基部に掛け廻される前記固定用掛紐部材の長さを調整可能とするスライド調整部材を有することを特徴とする請求項１乃至４のうち、何れか一項記載の鞄用携帯ハンガー。
【請求項６】
前記水平棒状部に離間されて一対設けられて、前記１本の固定用掛紐部材の中間部分を各々該水平棒状部材に係止することにより、前記鞄本体に固定される一対の固定基部に対応させて、２つの環状固定部を形成する輪留め部材を有することを特徴とする請求項１乃至５のうち、何れか一項記載の鞄用携帯ハンガー。
【発明の詳細な説明】
【技術分野】
【０００１】
この発明は、例えば、折り畳まなくても、小型軽量で、携帯性に優れた鞄用携帯ハンガーに関し、特に、鞄と共に、背広等の衣類を持ち歩くのに用いて好適な鞄用携帯ハンガーに関する。
【背景技術】
【０００２】
従来のこの種の携帯ハンガー１としては、図１９乃至図２１に示すようなものが知られている（例えば、特許文献１参照）。
【０００３】
このようなものでは、携帯ハンガー１が、掛け板部材２と有口掛け板部材３とからなる２つの部材で、主に、構成されている。
【０００４】
このうち、前記掛け板部材２には、略方形状に開口されて、手掛け部４が形成されていて、この手掛け部４の左，右側に、衣類としての上着１０の肩部１０ａ，１０ａに各々挿通されるアーム部５，５が、一体に形成されている。
【０００５】
また、前記有口掛け板部材３上部には、凹部６が形成されていて、この手掛け部４が挿通されて係止されると共に、この凹部６の開口と連続して、開口部７が形成されていて、前記上着１０が挿通される。
【０００６】
そして、この開口部７の下縁を構成する横板部８には、図１９に示すように、上着１０の裾部１０ｂ及び袖部１０ｃ，１０ｃが、係止されて３つ折り状態で吊り下げられるように構成されている。
【０００７】
次に、この従来の携帯ハンガー１の作用効果について説明する。
【０００８】
この従来の携帯ハンガー１では、まず、前記掛け板部材２のアーム部５，５を、前記上着１０の肩部１０ａ，１０ａの部分の内側に挿通して掛ける。
【０００９】
次に、前記有口掛け板部材３の開口部７に上着１０を通し、裾部１０ｂ及び袖部１０ｃ，１０ｃが、適度の位置となって、前記横板部８に係止させて３つ折り状態で吊り下げられる。
【００１０】
更に、前記有口掛け板部材３の凹部６に、前記掛け板部材２の手掛け部４が挿通されて掛けられる。
【００１１】
このように、上着１０が３つ折り状態で吊り下げられた携帯ハンガー１は、図２０に示すように、鞄としてのブリーフケース１１の把手部１２と共に、前記手掛け部４が把持されて、このブリーフケース１１と一緒に、上着１０を持ち歩くことができる。
【００１２】
また、図２１に示すように、鞄としてのアタッシュケース１３の把手部１４に、前記手掛け部４が掛けられて、このアタッシュケース１３と一緒に持ち歩くことができる。
【００１３】
このため、上着を手で持ち歩くことも無く、しわにもなりにくく、ブリーフケース１１或いはアタッシュケース１３等の鞄と一緒に持てるので両手がふさがることもない。
【００１４】
そして、不必要なときには、前記掛け板部材２を有口掛け板部材３に合わせて薄くして、鞄等に入れて携帯できる。
【００１５】
なお、図２２に示すように、棒状体１６の両端から各々延出される２本の紐部材１７，１７の先端に、鞄の一対の金具に各々掛止可能なフック部材１８，１８が設けられている携帯ハンガー１５も知られている（例えば、特許文献２参照）。
【特許文献１】特開２００４−１１３４４６号公報
【特許文献２】登録実用新案第３０９３１９４号公報
【発明の開示】
【発明が解決しようとする課題】
【００１６】
しかしながら、このような従来の携帯ハンガー１では、図２０に示すように、ブリーフケース１１の把手部１２と共に、前記手掛け部４を把持して、このブリーフケース１１と一緒に上着１０を持ち歩くためには、この携帯ハンガー１が、前，後に揺動しないように、一定の握力が必要となる。
【００１７】
また、前記手掛け部４の開口周縁に指が当たり、長時間の持ち歩きが困難であるといった問題があった。
【００１８】
このため、鞄の把手部１４に、前記手掛け部４を掛けて、上着１０を鞄と共に吊り下げて持ち歩くことも考えられる。
【００１９】
しかしながら、図２１に示すアタッシュケース１３のようなものでは、鞄本体１３ａの上面部１３ｂに、把手部１４を、回動可能に軸支する一対の固定基部１４ａ，１４ａが設けられている。
【００２０】
よって、図２１中白抜き矢印に示すように、前記手掛け部４が、この把手部１４に挿通されて掛けられると、アタッシュケース１３の蓋部材１３ｃの上縁部１３ｄに、上着１０が当接して、持ち上げられた状態となり、前記上着１０が、アタッシュケース１３の外側面１３ｅから離間して、持ち歩きにくいといった問題があった。
【００２１】
更に、図２２に示す携帯ハンガー１５では、鞄の一対の固定基部１４ａ，１４ａの各々に、前記フック部材１８，１８を係止させなければならず、装脱着性が良好であるとは言い難かった。
【００２２】
また、一本の紐部材１７で前記棒状部材１６を吊り下げようとすると、揺動してしまい安定して略水平状態を保持することが出来なかった。
【００２３】
そこで、この発明は、装脱着性が良好で、吊り下げに際して握力を必要とせずに、安定して衣類を鞄と共に吊り下げることができると共に、小型軽量で収納性の良好な携帯に適した鞄用携帯ハンガーを提供することを課題としている。
【課題を解決するための手段】
【００２４】
前記課題を解決するため本願発明の請求項１に記載されたものでは、衣類を掛ける掛棒部と、鞄に設けられた把手部の両端に位置して、鞄本体に固定される一対の固定基部に、長手方向を沿わせて保持される水平棒状部とを略同一外径のパイプ状部材で連続形成するハンガー本体を有し、該ハンガー本体の前記水平棒状部には、該水平棒状部の一端から延出されて、前記一対の両固定基部に掛け廻された状態で、該水平棒状部の他端に係止されることにより、前記掛棒部を、前記一対の固定基部と平行状態で保持する固定用掛紐部材が設けられている鞄用携帯ハンガーを特徴としている。
【００２５】
また、請求項２に記載されたものは、前記ハンガー本体の外側面に、前記固定用掛紐部材を、折畳み状態で添着する添着部材が設けられている請求項１記載の鞄用携帯ハンガーを特徴としている。
【００２６】
更に、請求項３に記載されたものは、前記ハンガー本体の外側面には、前記固定用掛紐部材が収納される収納凹溝部が凹設されている請求項１又は２記載の鞄用携帯ハンガーを特徴としている。
【００２７】
そして、請求項４に記載されたものは、前記ハンガー本体の内部には、前記固定用掛紐部材が、挿通されて収納される収納中空部が形成されている請求項１記載の鞄用携帯ハンガーを特徴としている。
【００２８】
また、請求項５に記載されたものは、前記ハンガー本体の少なくとも、前記掛棒部の周囲には、滑り止めゴム部材が設けられていると共に、該滑り止めゴム部材の外周面に、外嵌されて、長手方向にスライド移動させる事により、前記両固定基部に掛け廻される前記固定用掛紐部材の長さを調整可能とするスライド調整部材を有する請求項１乃至４のうち、何れか一項記載の鞄用携帯ハンガーを特徴としている。
【００２９】
更に、請求項６に記載されたものは、前記水平棒状部に離間されて一対設けられて、前記１本の固定用掛紐部材の中間部分を各々該水平棒状部材に係止することにより、前記鞄本体に固定される一対の固定基部に対応させて、２つの環状固定部を形成する輪留め部材を有する請求項１乃至５のうち、何れか一項記載の鞄用携帯ハンガーを特徴としている。
【発明の効果】
【００３０】
このように構成された請求項１記載のものでは、前記水平棒状部の一端から延出された固定用掛紐部材を、前記鞄の把手部の両端に位置する一対の固定基部に掛け廻して、該水平棒状部の他端に係止させると、該固定用掛紐部材によって、該一対の固定基部に、前記水平棒状部が長手方向を沿わせて、保持される。
【００３１】
前記衣類が掛けられる掛棒部は、該水平棒状部に連続形成されているので、前記固定用掛紐部材による固定で、前記掛棒部が、前記一対の固定基部と平行状態で保持される。
【００３２】
従って、衣類は、前，後に揺動することなく、握力を必要とせず安定して、鞄と共に吊り下げられて、持ち運び性が良好である。
【００３３】
更に、前記水平棒状部の一端から延出される一本の前記固定用紐部材を、前記水平棒状部の他端に係止させるだけで、該ハンガー本体を安定して、前記鞄に固定させることが出来る。
【００３４】
また、前記鞄から該ハンガー本体を取り外す際にも、前記固定用紐部材の前記水平棒状部の他端への係止を解除するだけで、容易に取り外せる。
【００３５】
このため、前記ハンガー本体の脱着をワンタッチで行えて、装脱着性が良好であると共に、前記固定用紐部材の前記一対の両固定基部に掛け廻される長さを変更することにより、異なる形状の鞄に対する対応を容易に行い、様々な形状の鞄でも、鞄の外側面に沿わせて略平行に前記衣類を、揺動させる事無く吊り下げることができる。
【００３６】
更に、前記ハンガー本体が、前記水平棒状部と前記掛棒部とを略同一外径のパイプ状部材で連続形成して構成されている。
【００３７】
このため、応力が集中する部分が少なく、容易に、衣類を吊り下げる強度を得られるので、小型軽量で、携帯性に優れた鞄用ハンガーを提供出来る。
【００３８】
また、請求項２に記載されたものは、前記添着部材によって、前記ハンガー本体の外側面に、前記固定用掛紐部材が、折畳み状態で添着される。
【００３９】
このため、衣類の吊り下げに使用しない未使用状態では、前記固定用掛紐部材が、前記ハンガー本体の外側面に収納されて、更に、携帯性を良好なものとすることができる。
【００４０】
更に、請求項３に記載されたものは、前記ハンガー本体の外側面に凹設形成された収納凹溝部に、前記固定用掛紐部材が収納される。
【００４１】
このため、衣類の吊り下げに使用しない未使用状態では、前記固定用掛紐部材が、前記ハンガー本体の外側面から突出することなく収納されて、更に、携帯性を良好なものとすることができる。
【００４２】
また、請求項４に記載されたものは、前記ハンガー本体の内部に形成された収納中空部内に、前記固定用掛紐部材が、挿通されて収納される。
【００４３】
このため、衣類の吊り下げに使用しない未使用状態では、前記固定用掛紐部材が、前記ハンガー本体の一端から突出することなく収納されて、更に、携帯性を良好なものとすることができる。
【００４４】
そして、請求項５に記載されたものでは、前記固定用掛紐部材の端縁に設けられたスライド調整部材が、外嵌する滑り止めゴム部材の外周面に沿って、前記掛棒部の長手方向に沿ってスライド移動されて、所望の位置で停止させることにより、前記固定用掛紐部材の長さが、調整される。
【００４５】
従って、前記鞄の両固定基部間の間隔や、該鞄の形状が相違していても、該スライド調整部材を長手方向にスライド移動させる事により、衣類の吊り下げに際して、最も安定する位置に、前記ハンガー本体が固定される。
【００４６】
このため、例えば、アタッシュケースのように、把手部が鞄本体の上面部に位置する形状の鞄でも、前記衣類を掛ける掛棒部の高さ位置を調整して、該鞄本体の外表面に沿うような位置で固定可能で、容易に前記衣類を、安定させて吊り下げることが出来る。
【００４７】
更に、請求項６に記載されたものでは、前記２つの環状固定部が、各々前記鞄本体に固定される一対の固定基部に対応して、掛け廻された状態で固定される。
【００４８】
このため、前記水平棒状部は、前記鞄の前後方向の２カ所で、固定されて、更に水平状態が、保たれたまま安定する。
【００４９】
従って、前記掛棒部に掛けられた衣類が、更に、揺動することなく吊り下げられる。
【発明を実施するための最良の形態】
【００５０】
以下、本発明の具体的な最良の実施の形態について、図面を参照しつつ説明する。
なお、前記従来例と同一乃至均等な部分については、同一符号を付して説明する。
【００５１】
図１乃至図１２は、この発明の実施の形態の鞄用携帯ハンガー２０を示すものである。
【００５２】
まず、構成を説明すると、この実施の形態の鞄用携帯ハンガー２０は、略同一外径のパイプ状部材で連続形成されたハンガー本体２１を有して、衣類としての上着１０を２つ折り状態で、鞄の側面に沿わせて吊り下げることが出来るように構成されている。
【実施例１】
【００５３】
この実施例１の鞄用携帯ハンガー２０のハンガー本体２１は、主に、衣類としての背広の上着１０を掛ける掛棒部２１ａと、この掛棒部２１ａと下側屈曲部２１ｂを介して一体に形成される中間連結棒部２１ｃと、この中間連結棒部２１ｃの端部２１ｄに、上側屈曲部２１ｅを介して、一体に連続形成される水平棒状部２１ｆとが、一本のアルミ製の中空パイプ状部材を屈曲することにより、側面視略乙字状に屈曲されて主に構成されていて、内部に、後述する固定用掛紐部材２３を挿通して収納する収納中空部２８が形成されている。
【００５４】
この実施例１では、前記水平棒状部２１ｆの長手方向寸法Ｌ１を、図３に示すように、鞄としてのアタッシュケース１３の上面部１３ｂに設けられた把手部１４の両端に位置して、鞄本体１３ａに固定される一対の固定基部１４ａ，１４ａ間の間隔寸法Ｌ２と略同じ寸法を有するように構成されている。
【００５５】
そして、これらの固定基部１４ａ，１４ａに長手方向を沿わせて保持されるように、前記水平棒状部２１ｆには、この水平棒状部２１ｆの一端２１ｇから延出されて、前記一対の両固定基部１４ａ，１４ａに、図３に示すように掛け廻された状態で、この水平棒状部２１ｆの他端２１ｈに設けられた係止爪部２２に係止されることにより、前記掛棒部２１ａを、前記一対の固定基部１４ａ，１４ａと平行状態で保持する固定用掛紐部材２３が設けられている。
【００５６】
この固定用掛紐部材２３の先端には、前記係止爪部２２に係止される係止リング部２３ａが設けられている。
【００５７】
また、この固定用掛紐部材２３の後端には、略球状のストッパ部材２３ｂが設けられている。
【００５８】
このストッパ部材２３ｂには、更にゴム紐部材２５が連結されている。このゴム紐部材２５は、前記ハンガー本体２１の中空内部空間内で、固定具２５ａによって端部２５ｂが固定されていて、前記ストッパ部材２３ｂ及び固定用掛紐部材２３が引き込まれる方向に付勢されることにより、前記水平棒状部２１ｆの一端２１ｇに嵌着される端縁部材２４の挿通孔２４ａから、前記固定用掛紐部材２３が挿抜方向に、移動可能となるように構成されている。
【００５９】
そして、図１に示すように、この固定用掛紐部材２３が最も引き出された状態では、前記端縁部材２４の挿通孔２４ａ周縁に、中空内部空間内側から前記ストッパ部材２３ｂが当接して、更なる引き出しが不能となるように構成されている。
【００６０】
また、図４に示すように、この固定用掛紐部材２３が、最も前記ゴム紐部材２５の縮み力によって、引き込まれた状態では、前記係止リング部２３ａの基端２３ｃが、前記端縁部材２４の挿通孔２４ａ周縁に、外側から当接して、更なる引き込みが不能となるように構成されている。
【００６１】
この実施例１の前記中間連結棒部２１ｃは、前記上側屈曲部２１ｅを介して、前記水平棒状部２１ｆに一定の角度θ１で一体に接続されていて、前記水平棒状部２１ｆの長手方向寸法Ｌ１よりも長い長手方向寸法Ｌ３を有するように構成されている。
【００６２】
また、この実施例１の前記掛棒部２１ａは、前記下側屈曲部２１ｂを介して、前記中間連結棒部２１ｃに一体となるように、前記角度θ１と同じ一定の角度θ２で接続されている。
【００６３】
このため、前記水平棒状部２１ｆと、前記掛棒部２１ａとは、平行となるように連続して一体形成されている。
【００６４】
また、図１に示すように、前記掛棒部２１ａの長手方向寸法Ｌ４は、前記中間連結棒状部２１ｃの長手方向寸法Ｌ３よりも長くなるように設定されていると共に、前記水平棒状部２１ｆから前記中間連結棒状部２１ｃが、紙面左側で突出している長さＬ５と略同じ長さＬ６、前記中間連結棒状部２１ｃの端部２１ｄから紙面右側に突出することにより、前記水平棒状部２１ｆの長手方向中央と、前記掛棒部２１ａの長手方向中央とが、略一致して、この掛棒部２１ａに掛けられる上着１０の紙面左，右方向の重心が、前記水平棒状部２１ｆの略中央となるように構成されている。
【００６５】
更に、この実施例１の掛棒部２１ａの周囲には、滑り止めゴム部材２６が設けられている。この滑り止めゴム部材２６の外周面には、図２に示すように、長手方向に沿う複数の凹溝部２６ａ…及び山部２６ｂ…が、略同一間隔で交互に形成されている。
【００６６】
また、この実施例１の掛棒部２１ａの端縁２１ｉには、脱落防止用のキャップ部材２７が嵌着されている。
【００６７】
このキャップ部材２７は、略半球形状を呈して、外径寸法Ｄ１は、前記滑り止めゴム部材２６の外径寸法Ｄ２よりも大きくなるように構成されている。
【００６８】
次に、この実施例１の鞄用携帯ハンガー２０の作用について説明する。
【００６９】
この実施例１の鞄用携帯ハンガー２０では、前記ハンガー本体２１の水平棒状部２１ｆの一端２１ｇから、前記固定用掛紐部材２３が、図１に示すように、連結される前記ゴム紐部材２５を引き延ばしながら引き出される。
【００７０】
そして、この延出された固定用掛紐部材２３を、図３に示すように、前記鞄としてのアタッシュケース１３の把手部１４の両端に位置する前，後一対の固定基部１４ａに掛け廻して、この水平棒状部２１ｆの他端２１ｈに設けられた係止爪部２２に、この固定用掛紐部材２３の係止リング部２３ａが係止される。
【００７１】
また、図１に示すように、前記固定用掛紐部材２３の後端に設けられた前記ストッパ部材２３ｂが、最も引き出された状態では、前記端縁部材２４の挿通孔２４ａ周縁に、中空内部空間内側から当接して、更なる引き出しが不能となる。
【００７２】
従って、１本の固定用掛紐部材２３が、前，後一対の離間した位置に設けられている固定基部１４ａ，１４ａの双方に掛け廻されて、この固定用掛紐部材２３によって、前記固定基部１４ａ，１４ａが設けられている上面部１３ｂから離間した側面部１３ｅの上縁近傍に、前記水平棒状部２１ｆが長手方向を、この一対の固定基部１４ａ，１４ａの並設方向（前，後方向）で、側面部１３ｅの上縁に沿わせられて、保持される。
【００７３】
しかも、前記水平棒状部２１ｆの長手方向寸法Ｌ１が、図３に示されるように、把手部１４の固定基部１４ａ，１４ａ間の間隔寸法Ｌ２と略同じ寸法に設定されているので、前記水平棒状部２１ｆの一端２１ｇ及び他端２１ｈから各々延出される前，後の固定用掛紐部材２３は、略平行で、しかも、最短距離で前記固定基部１４ａ，１４ａに掛け廻される。
【００７４】
また、前記上着１０が掛けられる掛棒部２１ａは、前記水平棒状部２１ｆと一定の角度θ１で連結される前記中間連結棒部２１ｃを介して、この角度θ１と略同一の角度θ２を有して、連続形成されているので、前記固定用掛紐部材２３による前記水平棒状部２１ｆの固定で、前記掛棒部２１ａが、前記一対の固定基部１４ａ，１４ａと平行状態で保持されて、アタッシュケース１３の外側面１３ｅの上下方向略中央に位置する。
【００７５】
しかも、上着１０は、２つ折り状態で、前記掛棒部２１ａに滑り止めゴム部材２６に掛けられると、上着１０の前後方向中央位置が、前記一対の固定基部１４ａ，１４ａ間の中央位置に、一致して、バランス良く吊り下げられる。
【００７６】
また、一本の固定用掛紐部材２３が、前，後に２本で、前記ハンガー本体２１を吊り下げているので、前，後方向に揺動することがない。しかも、握力を必要とせず安定して、アタッシュケース１３と共に吊り下げられて、持ち運び性が良好である。
【００７７】
更に、前記水平棒状部２１ｆの前記一端２１ｇから延出される一本の前記固定用紐部材２３を、前記水平棒状部２１ｆの他端２１ｈに設けられた係止爪部２２に係止させるだけで、このハンガー本体２１を安定して、前記アタッシュケース１３に固定させることが出来る。
【００７８】
また、前記アタッシュケース１３から、このハンガー本体２１を取り外す際にも、前記固定用紐部材２３の前記水平棒状部２１ｆの他端２１ｈに設けられた係止爪部２２への係止を解除するだけで、容易に取り外せる。
【００７９】
この実施例１では、前記係止爪部２２から、前記係止リング部２３ａが取り外されると、前記固定用掛紐部材２３が、引き延ばされた前記ゴム紐部材２５の弾性復帰力によって、前記収納中空部２８内に、引き込まれて、図４中実線で示すように、前記係止リング部２３ａの基端２３ｃが、前記端縁部材２４の挿通孔２４ａ周縁に、外側から当接することにより、収納状態に移行して停止する。
【００８０】
このため、前記ハンガー本体２１の脱着がワンタッチで行われて、装脱着性が良好であると共に、前記固定用紐部材２３の前記一対の両固定基部１４ａ，１４ａに掛け廻される長さを変更することにより、異なる形状の鞄、例えば、図３に示すアタッシュケース１３や、図９に示すブリーフケース１１等、様々な形状に対する対応が容易に行え、様々な形状の鞄でも、鞄の外側面１３ｅに沿わせて略平行に前記上着１０を、揺動させる事無く吊り下げさせることができる。
【００８１】
更に、前記ハンガー本体２１が、前記水平棒状部２１ｆと前記掛棒部２１ａとを略同一外径のパイプ状部材を、側面視略乙字状に屈曲されて連続形成して構成されている。
【００８２】
このため、応力が集中する部分が少なく、容易に、衣類、特に背広の上着１０を吊り下げる強度を得られるので、小型軽量で、携帯性に優れた鞄用携帯ハンガーが提供される。
【００８３】
また、前記ハンガー本体２１の内部に形成された収納中空部２８内に、前記固定用掛紐部材２３が、挿通されて収納される。
【００８４】
このため、上着１０の吊り下げに使用しない未使用状態では、前記固定用掛紐部材２３が、前記ハンガー本体２１の一端２１ｇから、係止リング部２３ａを残して、殆ど突出することなく収納される。従って、更に、携帯性を良好なものとすることができる。
【００８５】
しかも、この実施例１の鞄用携帯ハンガー２０では、前記掛棒部２１ａの周囲に設けられた滑り止めゴム部材２６の外周面には、図２に示すように、長手方向に沿う複数の凹溝部２６ａ…及び山部２６ｂ…が、略同一間隔で交互に形成されている。
【００８６】
このため、この滑り止めゴム部材２６の外周面に２つ折り状態で掛けられた上着１０との間の摩擦力が、この凹溝部２６ａ…及び山部２６ｂ…が形成されていることにより増大して、滑り落ちにくい。
【００８７】
また、この実施例１の掛棒部２１ａの端縁２１ｉには、脱落防止用のキャップ部材２７が嵌着されている。
【００８８】
このキャップ部材２７は、略半球形状を呈して、外径寸法Ｄ１は、前記滑り止めゴム部材２６の外径寸法Ｄ２よりも大きくなるように構成されている。
【００８９】
このため、前記掛棒部２１ａの延設方向に沿って、前記端縁２１ｉ側に向けて滑り落ちようとする上着１０は、この脱落防止用のキャップ部材２７に係止されて、脱落する虞が更に減少する。
【実施例２】
【００９０】
図５乃至図７は、本発明の具体的な実施の形態の実施例２の鞄用携帯ハンガー３０を示すものである。
【００９１】
なお、前記実施例１と同一乃至均等な部分については、同一符号を付して説明する。
【００９２】
まず、構成について、実施例１の鞄用携帯ハンガー２０との相違点を中心に、この実施例２の鞄用携帯ハンガー３０の構成を説明すると、この実施例２の鞄用携帯ハンガー３０では、中間連結棒部３１ｃの端部３１ｄには、環状突起部３１ｋが凸設形成されていて、側面視略コ字状を呈する上側屈曲部材３１ｅの一端３１ａが回転可能に軸支されている。
【００９３】
この上側屈曲部材３１ｅの他端３１ｂには、アルミ製押し出し成形部品からなる水平棒状部材３１ｆの一端縁３１ｇが、回転不能に嵌着されて、前記中間連結棒部３１ｃから、前記上側屈曲部材３１ｅを介して、この水平棒状部材３１ｆまで連続形成されるように設けられて、ハンガー本体３０が構成されている。
【００９４】
このうち、前記水平棒状部材３１ｆの上面部３１ｉの外側面には、前記固定用掛紐部材２３を、２つ折り状態で収納する収納凹溝部３１ｊが、長手方向に沿って凹設されている。
【００９５】
また、この水平棒状部材３１ｆの端縁には、係止爪付きキャップ部材３２が嵌着されている。
【００９６】
この係止爪付きキャッブ部材３２には、前記固定用掛紐部材２３の係止リング部２３ａを、係止することにより、前記上面部３１ｉの外側面に形成された収納凹溝部３１ｊ内に、前記固定用掛紐部材２３を、２つに折畳み状態で添着する添着部材としての弾接係止片３２ａが一体に設けられている。
【００９７】
次に、この実施例２の作用について説明する。
【００９８】
このように構成された実施例２の鞄用携帯ハンガー３０では、図５中二点鎖線で示すように、前記係止爪部２２から、前記固定用掛紐部材２３の係止リング部２３ａを外して、図５中一点鎖線で示すように、この固定用掛紐部材２３を、前記係止爪部２２に引っかけて、折り返すように係止リング部２３ａを、前記係止爪付きキャップ部材３２方向へ戻すと共に、前記弾接係止片３２ａへ、前記係止リング部２３ａを係止させる。
【００９９】
この際、図６及び図７に示すように、前記ハンガー本体３１の水平棒状部材３１ｆの上面部３１ｉに凹設形成された収納凹溝部３１ｊに、前記固定用掛紐部材２３が、２つ折り状態で添着収納される。
【０１００】
このため、上着１０の吊り下げに使用しない未使用状態では、前記固定用掛紐部材２３が、前記ハンガー本体３１の外側面から突出することなく、前記収納凹溝部３１ｊ内に収納されて、携帯性を良好なものとすることができる。
【０１０１】
更に、この実施例２では、図５中二点鎖線で示すように、前記中間連結棒部３１ｃの端部３１ｄに形成された環状突起部３１ｋに沿って、前記上側屈曲部材３１ｅを、白抜き矢印で示すように、回転させると、前記弾接係止片３２ａが前記掛棒部２１ａの上面側の一部に弾接されて停止し、前記水平棒状部材３１ｆを、この掛棒部２１ａと、前記中間連結棒部３１ｃとの間に位置させて収納する。
【０１０２】
このため、このハンガー本体３１の高さ方向寸法は、減少するので、更に携帯性を良好なものとすることができる。
【０１０３】
なお、前記水平棒状部材３１ｆと、前記掛棒部２１ａとの間の連結部分に、前記上側屈曲部材３１ｅと略同様に構成される下側屈曲部材を用いることも出来る。
【０１０４】
この場合、前記水平棒状部材３１ｆと、前記掛棒部２１ａとを直線状の部品、例えば、アルミ製パイプ部材で構成できるので、更に、加工が容易である。
【０１０５】
他の構成及び作用効果については、前記実施例１と同一乃至均等であるので、説明を省略する。
【実施例３】
【０１０６】
図８乃至図１０は、本発明の具体的な実施の形態の実施例３の鞄用携帯ハンガー４０を示すものである。
【０１０７】
なお、前記実施例１，２と同一乃至均等な部分については、同一符号を付して説明する。
【０１０８】
まず、構成について、実施例１の鞄用携帯ハンガー２０との相違点を中心に、この実施例３の鞄用携帯ハンガー４０の構成を説明すると、この実施例３の鞄用携帯ハンガー４０では、前記水平棒状部２１ｆに、略環状の輪留め部材４１，４１が設けられている。
【０１０９】
これらの輪留め部材４１，４１は、一定距離Ｌ７離間されて一対設けられて、前記１本の固定用掛紐部材２３の中間部分２３ｄ，２３ｄを、各々この水平棒状部材２１ｆに係止させことにより、図９に示すように、ブリーフケース１１の鞄本体１１ａに固定される片側の把手部１２の一対の固定基部１２ａ，１２ａに対応させて、２つの環状固定部２３ｅ，２３ｅが形成されるように、上側の一部に挿通凹部４１ａ，４１ａが形成されている。
【０１１０】
次に、この実施例３の鞄用携帯ハンガー４０の作用効果について説明する。
【０１１１】
この実施例３の鞄用携帯ハンガー４０では、図１０に示すように、前記輪留め部材４１，４１によって、形成された２つの環状固定部２３ｅ，２３ｅが、前記ブリーフケース１１の鞄本体１１ａに固定される一対の固定基部１２ａ，１２ａに対応して、各々掛け廻された状態で固定される。
【０１１２】
このため、前記水平棒状部２１ｆは、前記ブリーフケース１１の前後方向の２カ所で、固定されて、更に水平状態が、保たれたまま安定する。
【０１１３】
従って、前記掛棒部２１ａに掛けられた上着１０が、更に、揺動することなく吊り下げられる。
【０１１４】
他の構成及び作用効果については、前記実施例１及び２と同一乃至均等であるので、説明を省略する。
【実施例４】
【０１１５】
図１１乃至図１２は、本発明の具体的な実施の形態の実施例４の鞄用携帯ハンガー５０を示すものである。
【０１１６】
なお、前記実施例１乃至３と同一乃至均等な部分については、同一符号を付して説明する。
【０１１７】
まず、構成について、実施例１の鞄用携帯ハンガー２０との相違点を中心に、この実施例４の鞄用携帯ハンガー５０の構成を説明すると、この実施例４の鞄用携帯ハンガー５０では、前記掛棒部２１ａの周囲に設けられた滑り止めゴム部材２６が設けられていると共に、この滑り止めゴム部材２６の外周面に、外嵌されて、長手方向にスライド移動可能に、スライド調整部材５１が、設けられている。
【０１１８】
このスライド調整部材５１には、図１２に示すように、滑り止めゴム部材２６の外周面に沿う断面略半円状の前記左，右一対の挟持片５１ａ，５１ａを、弾性変形させて、拡開させることが可能なように、溝部５１ｂが、スライド方向に沿って形成されている。
【０１１９】
また、このスライド調整部材５１の下面側には、紐端固定片部５１ｃが、下方に向けて一体に突設されている。
【０１２０】
この紐端固定片部５１ｃには、紐固定孔５１ｄが開口形成されている。
【０１２１】
また、前記固定用掛紐部材２３のうち、ハンガー本体２１の収納中空部２８内の全長に渡って挿通された状態で、前記掛棒部２１ａの端縁２１ｉに嵌着された孔付きキャップ部材１２７の挿通孔１２７ａから一部導出される他端２３ｆが、前記掛棒部２１ａの中央方向に向かって折り返されている。
【０１２２】
そして、この他端２３ｆが、前記紐固定孔５１ｄに固定されることにより、この孔付きキャップ部材１２７の外側面１２７ｂに、この固定用掛紐部材２３を摺接させながら、他端２３ｆをこの掛棒部２１ａの延設方向に沿わせて、移動させる事により、前記鞄の両固定基部１２ａ，１２ａ若しくは１４ａ，１４ａ等に掛け廻される前記固定用掛紐部材２３の長さが調整可能となるように構成されている。
【０１２３】
次に、この実施例４の鞄用携帯ハンガー５０では、前記固定用掛紐部材２３の端縁２３ｆに設けられたスライド調整部材５１が、図１２中白抜き矢印に示す方向に、溝部５１ｂを拡開させて、外嵌する滑り止めゴム部材２６の外周面に沿って、前記掛棒部２１ａの長手方向に沿ってスライド移動される。
【０１２４】
そして、所望の位置で停止させると共に、前記溝部５１ｂの間隔を元の状態に戻すと、前記両側の挟持片５１ａ，５１ａの弾性復帰力によって、これらの挟持片５１ａ，５１ａの内側面が、前記滑り止めゴム部材２６の外周面に形成された山部２６ｂを押しつぶしながら圧接されて、スライド不能状態で固定されることにより、前記固定用掛紐部材２３が、前記端縁部材２４から延出される長さが、調整される。
【０１２５】
従って、前記アタッシュケース１３の両固定基部１４ａ，１４ａ間の間隔や、アタッシュケース１３の形状等が相違していても、前記スライド調整部材５１を、長手方向にスライド移動させる事により、前記固定用掛紐部材２３の延出量を変更出来、上着１０の吊り下げに際して、最も安定する位置に、前記ハンガー本体２１が固定される。
【０１２６】
このため、例えば、前記アタッシュケース１３のように、把手部１４が、鞄本体１３ａの上面部１３ｂに位置する形状の鞄や、前記ブリーフケース１１に設けられた把手部１２の固定基部１２ａ，１２ａ間の間隔が相違していても、前記上着１０を掛ける掛棒部２１ａの高さ位置が調整されて、鞄本体１１ａ或いは１３ａの外表面に沿うような位置に固定可能で、容易に前記上着１０が、鞄本体１１ａ或いは１３ａの外表面に沿って安定して吊り下げられる。
【０１２７】
また、この実施例４では、前記孔付きキャップ部材１２７の外側面１２７ｂに、この固定用掛紐部材２３が摺接されながら、他端２３ｆが、この掛棒部２１ａの延設方向に沿わせて、移動される。
【０１２８】
従って、上着１０を前記滑り止めゴム部材２６に２つ折りで吊り下げると、荷重によって、前記固定用掛紐部材２３が、前記孔付きキャップ部材１２７の外側面１２７ｂに、更に押しつけられて、この固定用掛紐部材２３の摺動抵抗を増大させる。
【０１２９】
このため、使用状態では、更に、前記スライド調整部材５１が、スライド移動する虞が減少して確実に固定される。
【実施例５】
【０１３０】
図１３は、本発明の具体的な実施の形態の実施例５の鞄用携帯ハンガーを示すものである。
【０１３１】
なお、前記実施例１乃至４と同一乃至均等な部分については、同一符号を付して説明する。
【０１３２】
この実施例５の鞄用携帯ハンガーでは、実施例１の鞄用携帯ハンガー２０の固定用掛紐部材２３に代えて、固定用掛紐部材１２３が用いられている。
【０１３３】
この固定用掛紐部材１２３は、図示省略の前記水平棒状部２１ｆの他端２１ｈに設けられた係止爪部２２に対して、先端１２３ｃに形成された係止リング部１２３ａが係止されることにより、前記掛棒部２１ａを、前記一対の固定基部１４ａ，１４ａと平行状態で保持するように構成されている。
【０１３４】
そして、この先端１２３ｃ近傍には、一定の間隔を置いて、複数の係止孔部１２３ｂ…が開口形成されている。
【０１３５】
次に、この実施例５の作用について説明する。
【０１３６】
この実施例５の固定用掛紐部材１２３では、先端１２３ｃに形成された係止リング部１２３ａ又は、何れかの前記係止孔部１２３ｂ…のうち１つを前記水平棒状部２１ｆの他端２１ｈに設けられた係止爪部２２に対して、係止することにより、前記水平棒状部２１ｆをブリーフケース１１の把手部１２に固定する際の固定用掛紐部材１２３の長さを調整することができる。
【０１３７】
他の構成及び作用効果については、前記実施例１及び２と同一乃至均等であるので、説明を省略する。
【実施例６】
【０１３８】
図１４は、本発明の具体的な実施の形態の実施例６の鞄用携帯ハンガー６０を示すものである。
【０１３９】
なお、前記実施例１乃至５と同一乃至均等な部分については、同一符号を付して説明する。
【０１４０】
この実施例６の鞄用携帯ハンガー６０では、固定用掛紐部材２３の後端部２３ｇが、端縁部材２４に固定されている。
【０１４１】
また、前記上側屈曲部２１ｅの内側側面２１ｊには、折返フック部材６１が固着されていて、前記固定掛紐部材２３を２つ折りに折り返すように係止させる略Ｌ字型に形成されている。
【０１４２】
更に、前記中間連結棒部２１ｃの上面側には、終端フック部材６２が固着されていて、前記折り返された固定掛紐部材２３の先端の係止リング部２３ａを係止可能とするように、略鉤型形状に形成されている。
【０１４３】
次に、この実施例６の鞄用携帯ハンガー６０の作用について説明する。
【０１４４】
この実施例６の鞄用携帯ハンガー６０では、不使用時に、図中実線で示すように前記折返フック部材６１に、前記固定掛紐部材２３を係止させて、２つ折りに折り返すと共に、先端の係止リング部材２３ａを前記終端フック部材６２に係止させて、収納させることが出来る。
【０１４５】
このため、前記実施例１の鞄用携帯ハンガー２０のようなゴム紐部材２５等で、ハンガー本体２１内に収納させる必要が無く、更に、使用利便性が良好である。
【０１４６】
他の構成及び作用効果については、前記実施例１，２及び５と同一乃至均等であるので、説明を省略する。
【実施例７】
【０１４７】
図１５乃至図１７は、本発明の具体的な実施の形態の実施例７の鞄用携帯ハンガー７０を示すものである。
【０１４８】
なお、前記実施例１乃至６と同一乃至均等な部分については、同一符号を付して説明する。
【０１４９】
この実施例７の鞄用携帯ハンガー７０では、前記実施例２の鞄用携帯ハンガー３０の水平棒状部材３１ｆに凹設形成された収納凹溝部３１ｊ内に、一定の間隔Ｌ８を置いて、橋状部材７１，７１が架け渡されている。
【０１５０】
これらの橋状部材７１，７１は、丸棒形状を呈して、前記収納凹溝部３１ｊの底面部との間に、前記固定用掛紐部材２３を挿通可能な高さ位置に略水平となるように両端部を、この収納凹溝部３１ｊの両内側面に固着させている。
【０１５１】
次に、この実施例７の鞄用携帯ハンガー７０の作用について説明する。
【０１５２】
この実施例７の鞄用携帯ハンガー７０では、前記実施例２の鞄用携帯ハンガー３０の作用効果に加えて、更に、図１７に示すように、前記固定用掛紐部材２３を前記橋状部材７１，７１と、前記収納凹溝部３１ｊの底面部との間に挿通して、先端の係止リング部２３ａを前記係止爪部２２に係止させる。
【０１５３】
２つ折りに収納されていた前記固定用掛紐部材２３では、伸張により、２つの環状固定部２３ｅ，２３ｅが、この水平棒状部２１ｆの左右に一対、間隔Ｌ８を置いて形成される。
【０１５４】
このため、前記ブリーフケース１１の鞄本体１１ａに固定される一対の固定基部１２ａ，１２ａに、この環状固定部２３ｅ，２３ｅを掛け廻して固定すると、前記ブリーフケース１１の前後方向の２カ所で、この鞄用携帯ハンガー７０が固定されて、水平状態が、保たれたまま安定する。
【０１５５】
従って、図示省略の前記掛棒部２１ａに掛けられた上着１０が、更に、揺動することなく吊り下げられる。
【０１５６】
他の構成及び作用効果については、前記実施例１及び２と同一乃至均等であるので、説明を省略する。
【実施例８】
【０１５７】
図１８は、本発明の具体的な実施の形態の実施例８の鞄用携帯ハンガー８０を示すものである。
【０１５８】
なお、前記実施例１乃至６と同一乃至均等な部分については、同一符号を付して説明する。
【０１５９】
この実施例８の鞄用携帯ハンガー８０では、実施例１の鞄用携帯ハンガー２０の水平棒状部２１ｆに相当する部分に、グリップラバー部材８１が略全周に亘り設けられている。
【０１６０】
このグリップラバー部材８１の外周面には、２つ折り状態で掛けられた前記上着１０との間の摩擦力を増大させて、滑り落ちにくくする凹溝部…及び山部…が、交互に形成されている。
【０１６１】
次に、この実施例８の作用効果について説明する。
【０１６２】
このように構成された実施例８記載の鞄用携帯ハンガー８０では、前記固定用掛紐部材２３がハンガー本体２１内に収納された状態で、使用者が、前記水平棒状部２１ｆに設けられたグリップラバー部材８１を把持すると、前記外周面に形成された凹溝部…及び山部…によって、滑りにくい状態で、把持可能である。
【０１６３】
このため、使用時及び携帯時の双方で、更に、使用利便性が良好である。
【０１６４】
他の構成及び作用効果については、前記実施例１と同一乃至均等であるので、説明を省略する。
【０１６５】
以上、この発明の実施の形態及び実施例１乃至８を図面により詳述してきたが、具体的な構成は、この実施の形態及び実施例１乃至８に限らず、この発明の要旨を逸脱しない範囲の設計の変更等があってもこの発明に含まれる。
【０１６６】
例えば、前記実施例１の固定用掛紐部材２３の後端には、略球状のストッパ部材２３ｂを介してゴム紐部材２５が連結されているが、特にこれに限らず、例えば、ゴム紐部材２５を設けなくても、前記収納中空部２８内に、前記固定用掛紐部材２３が、挿通されて、収納される等であってもよい。
【図面の簡単な説明】
【０１６７】
【図１】本発明の最良の実施の形態の実施例１の鞄用携帯ハンガーの構成を説明する正面図である。
【図２】実施例１の鞄用携帯ハンガーで、図１中Ａ−Ａ線に沿った位置での断面図である。
【図３】実施例１の鞄用携帯ハンガーで、アタッシュケースに用いた様子を説明する斜視図である。
【図４】実施例１の鞄用携帯ハンガーで、固定用掛紐部材が収納される様子を説明する正面図である。
【図５】実施例２の鞄用携帯ハンガーで、水平棒状部材近傍の構成を説明する拡大正面図である。
【図６】実施例２の鞄用携帯ハンガーで、水平棒状部材の上面図である。
【図７】実施例２の鞄用携帯ハンガーで、図５中Ｂ−Ｂ線に沿った位置での断面図である。
【図８】実施例３の鞄用携帯ハンガーで、構成を説明する正面図である。
【図９】実施例３の鞄用携帯ハンガーで、ブリーフケースに用いた様子を説明する斜視図である。
【図１０】実施例３の鞄用携帯ハンガーで、要部の構成を説明する拡大斜視図である。
【図１１】実施例４の鞄用携帯ハンガーで、構成を説明する正面図である。
【図１２】実施例４の鞄用携帯ハンガーで、図１１中Ｃ−Ｃ線に沿った位置での断面図である。
【図１３】実施例５の鞄用携帯ハンガーに用いられる固定用掛紐部材で、先端部近傍の上面図である。
【図１４】実施例６の鞄用携帯ハンガーの構成を説明する正面図である。
【図１５】実施例７の鞄用携帯ハンガーで、水平棒状部材の上面図である。
【図１６】実施例７の鞄用携帯ハンガーで、図１５中Ｄ−Ｄ線に沿った位置での断面図である。
【図１７】実施例７の鞄用携帯ハンガーで、使用状態を説明する要部の拡大正面図である。
【図１８】実施例８の鞄用携帯ハンガーの構成を説明する正面図である。
【図１９】一従来例の鞄用携帯ハンガーで、背広の上着を３つ折りに吊り下げる構成を説明する斜視図である。
【図２０】一従来例の鞄用携帯ハンガーで、ブリーフケースに用いた様子を説明する側面図である。
【図２１】一従来例の鞄用携帯ハンガーで、ブリーフケースに用いた様子を説明する側面図である。
【図２２】他の従来の鞄用携帯ハンガーで、構成を説明する正面図である。
【符号の説明】
【０１６８】
１０            上着（衣類）
鞄
１１            ブリーフケース
１３            アタッシュケース
１２，１４      把手部
１２ａ，１４ａ  固定基部
２０，３０，４０，５０，６０，７０，８０
鞄用携帯ハンガー
２１，３１，４１，５１
ハンガー本体
２１ａ          掛棒部
２１ｆ，３１ｆ  水平棒状部
２１ｇ          一端
２１ｈ          他端
２３            固定用掛紐部材
２３ａ          係止リング部
２３ｅ          環状固定部
２８            収納中空部
３１ｉ          上面部
３１ｊ          収納凹溝部
３２ａ          弾接係止片（添着部材）
４１，４１      輪留め部材
５１            スライド調整部材
【図１】
2006043316.tif 000003
【図２】
2006043316.tif 000004
【図３】
2006043316.tif 000005
【図４】
2006043316.tif 000006
【図５】
2006043316.tif 000007
【図６】
2006043316.tif 000008
【図７】
2006043316.tif 000009
【図８】
2006043316.tif 000010
【図９】
2006043316.tif 000011
【図１０】
2006043316.tif 000012
【図１１】
2006043316.tif 000013
【図１２】
2006043316.tif 000014
【図１３】
2006043316.tif 000015
【図１４】
2006043316.tif 000016
【図１５】
2006043316.tif 000017
【図１６】
2006043316.tif 000018
【図１７】
2006043316.tif 000019
【図１８】
2006043316.tif 000020
【図１９】
2006043316.tif 000021
【図２０】
2006043316.tif 000022
【図２１】
2006043316.tif 000023
【図２２】
2006043316.tif 000024